(57)【要約】【課題】  開口部を有する箱体に装着されて簡易トイレを構成する簡易トイレ構成体において、衛生的に使用できるようにする。【解決手段】  折り曲げ加工可能な板状部材からなる便座構成体２と、便座構成体に装着自在な収容袋３とを備え、便座構成体２が、互いに対向する板状部材の各端部を折り曲げて形成され、箱体４の開口部に係合する一対の係合片と、板状部材の内方に形成された糞尿取入用の開口部９と、少なくとも一端部が開口部９の周縁部に一体的に接続されると共に、一端部を中心に開口部９を開閉自在に揺動する蓋体部１１とを備え、箱体４内部に収容された収容袋３の上方開口部４１ｂを、便座面となる便座構成体２の上面に被せると共に、便座構成体２の周縁部１７に係合させるトイレ構成体５０を提供する。【選択図】      図１
2005046339.tif 000002
【特許請求の範囲】
【請求項１】
開口部を有する箱体に装着されて簡易トイレを構成する簡易トイレ構成体であって、
折り曲げ加工可能な板状部材からなる便座構成体と、該便座構成体に装着自在な収容袋とを備え、
前記便座構成体が、互いに対向する前記板状部材の各端部を折り曲げて形成され、前記箱体の開口部に係合する一対の係合片と、前記板状部材の内方に形成された糞尿取入用の開口部と、少なくとも一端部が前記開口部の周縁部に一体的に接続されると共に、該一端部を中心に前記開口部を開閉自在に揺動する蓋体部とを備え、
前記収容袋が、その下方を前記便座構成体の開口部内に挿入した状態で、その上方開口部を、便座面となる前記便座構成体の上面に被せると共に、該便座構成体の周縁部に係合させる大きさを有することを特徴とするトイレ構成体。
【請求項２】
前記板状部材が段ボール材から形成され、前記蓋体部が一対の開口片からなり、
これら開口片が、前記便座構成体の開口部を挟む前記周縁部にそれぞれ接続されていることを特徴とする請求項１に記載の簡易トイレ構成体。
【請求項３】
前記板状部材の前記端部に前記係合片を一の領域から区画する切れ目が形成され、
該切れ目を境に前記係合片を折り曲げた状態で、前記一の領域に前記収容袋を係合させる係合凸部が形成されることを特徴とする請求項１または請求項２に記載の簡易トイレ構成体。
【請求項４】
前記便座構成体が、前記便座構成体の開口部を中にして、互いに並行して一方向に延びる一対の側板部と、これら側板部の両端間に互いに並行して延びる一対の端板部とを有することを特徴とする請求項１から請求項３のいずれか１項に記載の簡易トイレ構成体。
【請求項５】
前記収容袋が、その内部に凝固剤を含む凝固シートを有することを特徴とする請求項１から請求項４のいずれ１項に記載の簡易トイレ構成体。
【請求項６】
前記収容袋が、その内部に消臭剤を有することを特徴とする請求項１から請求項５のいずれか１項に記載の簡易トイレ構成体。
【請求項７】
請求項１から請求項６のいずれか１項に記載の簡易トイレ構成体と、これら簡易トイレ構成体が装着される箱体とを備えることを特徴とする簡易トイレ。
【発明の詳細な説明】
【技術分野】
【０００１】
この発明は、主に地震や火災等の災害時において、段ボール箱等の箱体と組み合わせて使用可能な簡易トイレを構成するための簡易トイレ構成体および簡易トイレに関する。
【背景技術】
【０００２】
地震や大火災等の災害時においては、その被害状況によってトイレが使用不能となることが多く、この場合に、簡易に使用可能なトイレの提供が要請されている。
従来、このような場合に使用される簡易トイレとしては、移動・保管等の利便性を考慮して、段ボール材を加工したものが各種提供されている（例えば、特許文献１参照。）。この種の簡易トイレは、簡易トイレの本体部を構成する箱体が簡易トイレ専用部品として構成されたものであり、また、便座部分の座面が外部に露出するものであった。
【特許文献１】特開平１１−５６６７９号公報
【発明の開示】
【発明が解決しようとする課題】
【０００３】
しかしながら、上記従来の簡易トイレにおいては、簡易トイレの使用部分である箱体が専用品であるため、簡易トイレ一品毎に箱体の製造が必要となり、製品全体のコストが嵩むという問題があった。
また、便座部分の座面が外部に露出する構成であるため、排泄物が座面に付着した場合に、排泄物が座面に浸透するなどして、不衛生な状態になるという問題があった。
【０００４】
この発明は、上述した事情に鑑みてなされたものであって、簡易トイレ用の箱体として、他の用途に使用可能な段ボール等の箱体を使用して全体的な製品コストの削減を図り、衛生的に使用できる簡易トイレ構成体および簡易トイレを提供することを目的としている。
【課題を解決するための手段】
【０００５】
上記課題を解決するために、この発明は以下の手段を提案している。
請求項１に係る発明は、開口部を有する箱体に装着されて簡易トイレを構成する簡易トイレ構成体であって、折り曲げ加工可能な板状部材からなる便座構成体と、該便座構成体に装着自在な収容袋とを備え、前記便座構成体が、互いに対向する前記板状部材の各端部を折り曲げて形成され、前記箱体の開口部に係合する一対の係合片と、前記板状部材の内方に形成された糞尿取入用の開口部と、少なくとも一端部が前記開口部の周縁部に一体的に接続されると共に、該一端部を中心に前記開口部を開閉自在に揺動する蓋体部とを備え、前記収容袋が、その下方を前記便座構成体の開口部内に挿入した状態で、その上方開口部を、便座面となる前記便座構成体の上面に被せると共に、該便座構成体の周縁部に係合させる大きさを有することを特徴とするトイレ構成体を提案している。
【０００６】
この簡易トイレ構成体を用いて簡易トイレを使用する際には、はじめに、便座構成体の係合片を箱体の開口部に係合させて装着し、蓋体部を揺動させて便座構成体の開口部を開口する。この状態においては、蓋体部が便座構成体の開口部の周縁部に位置する便座面に重ねて配されることになる。次いで、収容袋の下方を便座構成体の開口部を通じて箱体の内部に入れた状態で、収容袋の上方開口部を便座構成体の上面に被せると共に、便座構成体の周縁部に係合させる。
そして、収容袋に排泄物を収容した後には、収容袋の上方開口部を便座構成体の周縁部から取り外すと共に、蓋体部を揺動させて開口部を閉塞する。これにより、収容袋内の臭気を遮断すると共に、ハエ等の侵入を防止することができる。なお、便座構成体の開口部を閉塞する際には、同じ収容袋を再度使用することを考慮して、収容袋の上方開口部を蓋体部と開口部との間に挟み込んでおくことが衛生上好ましい。
最後に、この簡易トイレを使用した後には、収容袋を便座構成体から取り外すと共に、上方開口部を閉塞した状態で箱体内部に収納し、簡易トイレを廃棄する。また、便座構成体および箱体を繰り返して使用する場合には、収容袋を便座構成体および箱体から取り外して、収容袋のみを廃棄する。
【０００７】
請求項２に係る発明は、請求項１に記載の簡易トイレ構成体において、前記板状部材が段ボール材から形成され、前記蓋体部が一対の開口片からなり、これら開口片が、前記便座構成体の開口部を挟む前記周縁部にそれぞれ接続されていることを特徴とする簡易トイレ構成体を提案している。
この発明に係る簡易トイレ構成体によれば、簡易トイレを使用する状態において、開口部の両側に位置する便座面に開口片が重ねられるため、便座面の強度向上を図ることができる。したがって、使用者が開口片を重ねた便座面に座る際に、便座構成体がこの荷重によって変形することを防止できる。
また、使用者が座る便座面に段ボール材からなる開口片が重ねられるため、便座面におけるクッション性が増加し、座り心地の向上を図ることができる。
【０００８】
請求項３に係る発明は、請求項１または請求項２に記載の簡易トイレ構成体において、前記板状体の端部に前記係合片を一の領域から区画する切れ目が形成され、該切れ目を境に該係合片を折り曲げた状態で、前記一の領域に前記収容袋を係合させる係合凸部が形成されることを特徴とする簡易トイレ構成体を提案している。
この発明に係る簡易トイレ構成体によれば、収容袋の上方開口部を係合凸部に係合させるため、収容袋を便座構成体に確実に取り付けることができる。
【０００９】
請求項４に係る発明は、請求項１から請求項３のいずれかに記載の簡易トイレ構成体において、前記便座構成体が、前記便座構成体の開口部を中にして、互いに並行して一方向に延びる一対の側板部と、これら側板部の両端間に互いに並行して延びる一対の端板部とを有することを特徴とする簡易トイレ構成体を提案している。
この発明に係る簡易トイレ構成体によれば、一対の側板部と一対の端板部とが矩形形状を形成するため、箱体として、飲料容器を複数収容する六面体の段ボール等の汎用品を使用することができ、汎用品である箱体を簡易トイレのために製造する必要がなくなる。
【００１０】
請求項５に係る発明は、請求項１から請求項４のいずれかに記載の簡易トイレ構成体において、前記収容袋が、その内部に凝固剤を含む凝固シートを有することを特徴とする簡易トイレ構成体を提案している。
この発明に係る簡易トイレ構成体によれば、収容袋の内部には、排泄物の水分を凝固させる凝固シートが設けられているため、収容袋内部において糞尿の流動化を防止でき、良好な衛生状態を保つことができる。
【００１１】
請求項６に係る発明は、請求項１から請求項５のいずれかに記載の簡易トイレ構成体において、前記収容袋が、その内部に消臭剤を有することを特徴とする簡易トイレ構成体を提案している。
この発明に係る簡易トイレ構成体によれば、収容袋の内部に設けられた消臭剤により臭気が外方に漏れ出ることを防止できる。
【００１２】
請求項７に係る発明は、請求項１から請求項６のいずれかに記載の簡易トイレ構成体と、これら簡易トイレ構成体が装着される箱体とを備えることを特徴とする簡易トイレを提案している。
【００１３】
この簡易トイレを使用する際には、はじめに、便座構成体を箱体の開口部に装着し、蓋体部を揺動させて便座構成体の開口部を開口する。次いで、収容袋の下方を便座構成体の開口部を通じて箱体の内部に入れた状態で、収容袋の上方開口部を便座構成体の上面に被せると共に、便座構成体の周縁部に係合させる。
そして、収容袋に排泄物を収容した後には、収容袋の上方開口部を便座構成体の周縁部から取り外すと共に、蓋体部を揺動させて開口部を閉塞する。これにより、収容袋内の臭気を遮断すると共に、ハエ等の侵入を防止することができる。
最後に、この簡易トイレを使用した後には、収容袋を便座構成体から取り外すと共に、上方開口部を閉塞した状態で箱体内部に収納し、簡易トイレを廃棄する。また、便座構成体および箱体を繰り返して使用する場合には、収容袋を便座構成体および箱体から取り外して、収容袋のみを廃棄する。
【発明の効果】
【００１４】
以上説明したように、請求項１および請求項７に係る発明によれば、簡易トイレを使用した後に、収容袋を便座構成体から取り外すと共に、その上方開口部を閉塞した状態で箱体内部に収納し、簡易トイレを廃棄することができるため、周囲の環境を衛生的に保つことができる。
また、蓋体部が便座構成体に一体的に接続されているため、蓋体部の紛失を防止することができる。
さらに、便座面や蓋体部が収容袋により覆われるため、人体に触れる便座面や蓋体部を清潔に保ち、簡易トイレを使用する際の衛生状態を良好に保持できる。
【００１５】
また、請求項２に係る発明によれば、便座構成体が荷重によって変形することを防止できると共に、座り心地の向上を図ることができるため、安心して簡易トイレを使用することが可能となる。
【００１６】
また、請求項３に係る発明によれば、収容袋の上方開口部を係合凸部に係合させるため、収容袋が便座構成体から不意に外れることを確実に防止できる。
【００１７】
また、請求項４に係る発明によれば、汎用品である箱体を簡易トイレのために製造する必要がないため、簡易トイレとして機能するための簡易トイレ構成体の構成を簡素化して、簡易トイレの製造コストの削減を図ることができる。
【００１８】
また、請求項５に係る発明によれば、収容袋の内部には、排泄物の水分を凝固させる凝固シートが設けられているため、収容袋内部において糞尿の流動化を防止でき、良好な衛生状態を保つことができる。
【００１９】
また、請求項６に係る発明によれば、収容袋の内部に設けられた消臭剤により臭気が外方に漏れ出ることを防止できる。
【発明を実施するための最良の形態】
【００２０】
図１から図６はこの発明に係る一実施形態を示しており、この実施の形態に係る簡易トイレ１は、図１に示すように、便座構成体２と、収容袋３と、箱体４とを備えた構成となっている。
箱体４は、図２に示すように、六面体からなる段ボール箱であり、各種飲料水が充填されたアルミ缶・ペットボトル等の容器を複数個収容可能な所謂汎用品である。この箱体４においては、その上部の周縁部４ａに形成されている段ボール箱の蓋となる部分を内方に折り返すことにより、開口部４ｂが形成されるようになっている。
【００２１】
便座構成体２は、図３，４に示すように、段ボール材からなる板状部材５により構成したものであり、平面視略矩形状に形成されている。この便座構成体２は、箱体４の開口部４ｂに係合させる一対の係合片７，７と、板状部材５の内方に形成された糞尿取入用の開口部９と、この開口部９を開閉自在とする蓋体部１１とを備えている。
係合片７，７は、予め、互いに対向する板状部材５の長手方向の各端部１３，１３に切れ目１５を形成しておき、この切れ目１５を境として板状部材５の下面５ａ側に折り曲げて形成されたものである。ここで、板状部材５の下面５ａとは、箱体４の開口部４ｂに対向して配される面を示している。
この係合片７を折り曲げた状態においては、後述する収容袋３の開口部を係合させるための係合凸部（周縁部）１７が形成されることになる。この係合凸部１７の角部１９は、収容袋３が破れたり、簡易トイレ１の使用者が怪我をしたりすることを防止するため、なだらかな円弧状に形成されている。なお、係合片７の角部も、同様になだらかな円弧状に形成されている。
【００２２】
開口部９は、予め、板状部材５の中央部にＨ字状の切れ目２１を形成しておき、この切れ目２１に囲まれる一対の開口片２３，２３を板状部材５の上面５ｂ側に向けて折り曲げることにより、板状部材５の厚さ方向に開口するようになっている。すなわち、この開口部９の周縁部９ａは、各開口片２３，２３の折り曲げ部分となる一端部２３ａ，２３ａおよびＨ字状の切れ目２１の一部により画定されることになる。なお、板状部材５の上面５ｂとは、簡易トイレ１の便座面を構成する面を示している。
蓋体部１１は、前述した一対の開口片２３，２３から構成されており、各開口片２３の一端部２３ａは、板状部材５の幅方向に沿って開口部９を挟む周縁部９ａに接続されている。したがって、この開口片２３は、板状部材５の幅方向に開くことになる。なお、開口部９を開口した状態においては、この開口片２３が板状部材５の上面５ｂに重ねて配される。
一端部２３ａの反対側に位置する開口片２３の他端部２３ｂには、つまみ部２５が一体的に形成されており、このつまみ部２５を持って一端部２３ａを中心に開口片２３を揺動させることによって開口部９を容易に開閉することができる。
【００２３】
また、便座構成体２は、前述した開口部９を中にして、互いに並行して長手方向に延びる一対の側板部２７と、これら側板部２７の両端間に互いに並行して延びる一対の端板部２９とを有する。
側板部２７は、係合片７を箱体４の開口部４ｂに係合させた際に、箱体４の周縁部４ａに当接するようになっている。また、この側板部２７の周縁部には、便座構成体２の内方側に窪む凹部３１が形成されており、この凹部３１は、開口片２３のつまみ部２５を係合させるようになっている。すなわち、開口部９を開口させる際に、つまみ部２５を凹部３１に係合させることにより、開口片２３を板状部材５の上面５ｂに重ね合わせた状態に保持できるようになっている。
なお、この便座構成体２を構成する係合片７、開口片２３、端板部２７、側板部２９等の各部の周縁部は、簡易トイレ１の使用者が怪我することを防止できるように波状に形成されている。
【００２４】
収容袋３は、図５に示すように、複数人数分の排泄物を収容できるようになっており、袋本体４１と、袋本体４１の底部４１ａに貼着された凝固シート４２とから構成されている。袋本体４１は、ポリエチレン等の薄厚の合成樹脂材料を袋状に形成して、その一端部に開口部（上方開口部）４１ｂが形成されたものであり、水分を含む糞尿等が外部に漏れ出ることを防止できるようになっている。
凝固シート４２は、水分を透過できる袋状の透過シート４３と、この透過シート４３内に設けられた凝固剤４４とを備えており、この凝固剤４４は、糞尿等の水分を吸収すると共に、この水分を凝固させる機能を有するものである。
これら便座構成体２および収容袋３は、図１に示すように、箱体４と共に簡易トイレ１として機能するための簡易トイレ構成体５０を構成している。
【００２５】
以上のように構成された簡易トイレ１の組み立て方法について説明する。
はじめに、図４に示すように、側板部２７に対して開口片２３を便座構成体２の上面５ｂ側に折り曲げて開口部９を形成すると共に、端板部２９に対して係合片７を便座構成体２の下面５ａ側に折り曲げる。
次いで、図６に示すように、係合片７を箱体４の開口部４ｂに係合させると共に、側板部２７を箱体４の周縁部４ａに当接させて、便座構成体２を箱体４に装着する。そして、側板部２７の凹部３１に開口片２３のつまみ部２５を係合させて、開口片２３を便座構成体２の上面５ｂに重ね合わせる。
最後に、収容袋３の底部４１ａを便座構成体２の開口部９に挿入して箱体４の内部に入れ、収容袋３の開口部４１ｂを便座構成体２の上面５ｂおよび開口片２３に被せると共に、係合凸部１７に係合させる。これにより、図１に示す簡易トイレ１の組み立てが完了し、簡易トイレ１の使用が可能となる。
【００２６】
この簡易トイレ１を使用する際には、収容袋３に覆われた便座構成体２の上面５ｂのうち、一対の開口片２３，２３が重ねられた部分に座る。
そして、各人がこの簡易トイレ１を使用した後には、収容袋３の開口部４１ｂを便座構成体２の係合凸部１７から取り外すと共に、開口片２３を揺動させて開口部９を閉塞する。これにより、収容袋３内の排泄物の臭気を遮断すると共に、ハエ等の侵入を防止することができる。なお、便座構成体２の開口部９を閉塞する際には、同じ収容袋３を再度使用することを考慮して、すなわち、収容袋３の開口部４１ｂが汚れないように、一対の開口片２３，２３の間や、開口片２３と開口部９の周縁部９ａとの間に収容袋３の開口部を挟み込んでおくことが衛生上好ましい。
【００２７】
この簡易トイレ１を使用して、収容袋３内に収容された排泄物が所定量に達した場合には、収容袋３を係合凸部１７から取り外し、収容袋３の開口部４１ｂを閉塞した状態で箱体４内に収納する。そして、簡易トイレ１を焼却することにより、排泄物を廃棄する。
また、使用態様によっては、収容袋３を便座構成体２および箱体４から取り外して、収容袋３のみを廃棄し、同じ便座構成体２および箱体４に未使用の新しい収容袋３を取り付けてもよい。
【００２８】
上記の簡易トイレ構成体１によれば、簡易トイレ１を使用した後に、収容袋３を便座構成体２の係合凸部１７から取り外すと共に、収容袋３の開口部４１ｂを閉塞した状態で箱体４内部に収納し、簡易トイレ１を廃棄することができるため、周囲の環境を衛生的に保つことができる。
また、収容袋３に排泄物を収容した後に、開口片２３により開口部９を閉塞することにより、排泄物の臭気を遮断できると共に、ハエ等の侵入を防止できるため、簡易トイレ１を使用する周囲の環境を良好に保持することができる。
さらに、一対の開口片２３，２３は便座構成体２に一体的に接続されているため、蓋体部１１の紛失を防止することができる。
【００２９】
また、簡易トイレ１を使用する際には、便座構成体２の上面５ｂおよび開口片２３が収容袋３により覆われているため、人体から発生する汗や排泄物が、人体に触れる便座構成体２の上面５ｂおよび蓋体部１１に染みこむことがない。そして、収容袋３のうち、上面５ｂおよび蓋体部１１を覆う部分に排泄物が付着しても、収容袋３のみを取り替えるだけで、人体に触れる便座構成体２の上面５ｂおよび蓋体部１１を清潔に保つことができ、簡易トイレ１を使用する際の衛生状態を良好に保持できる。
さらに、収容袋３を便座構成体２の上面５ｂに被せる際には、収容袋３の開口部４１ｂを係合凸部１７に係合させるため、収容袋３が便座構成体２から不意に外れることを確実に防止できる。
【００３０】
また、便座構成体２の開口部９の両側に位置する便座面に開口片２３が重ねられるため、便座面の強度向上を図り、使用者が便座面に座った際の荷重によって便座構成体２が変形することを防止できる。また、使用者が開口片２３を重ねた便座面に座る場合には、座る位置のクッション性が向上するため、座り心地の向上を図ることができる。以上のことから、使用者は、安心して簡易トイレ１を使用することができる。
【００３１】
さらに、収容袋３の内部には、排泄物の水分を凝固させる凝固シート４２が設けられているため、収容袋３内部において糞尿の流動化を防止でき、良好な衛生状態を保つことができる。
また、汎用品である箱体４を簡易トイレ１のために製造する必要がないため、簡易トイレ１として機能するための簡易トイレ構成体５０の構成を簡素化して、簡易トイレ１の製造コストの削減を図ることができる。
【００３２】
なお、上記の実施の形態においては、一対の開口片２３，２３により蓋体部１１を構成するとしたが、便座構成体２の強度向上や座り心地の向上を考慮しない場合には、例えば、１つの開口片により蓋体部を構成するとしても構わない。
また、収容袋３の内部には、凝固シート４２だけでなく、排泄物の臭気を消臭する消臭剤を設けるとてもよい。この場合には、消臭剤により臭気が外方に漏れ出ることを防止できる。
【００３３】
さらに、この簡易トイレ１は、トイレとして機能させるだけでなく、蓋付きのゴミ箱として使用しても構わない。また、Ｈ字状に形成された切り目２１を切り抜く前の状態においては、係合片７を利用して便座構成体２を箱体４に装着した状態で、小型のテーブルとして使用することも可能である。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３４】
【図１】この発明の一実施形態に係る簡易トイレを示す斜視図である。
【図２】図１の簡易トイレにおいて、箱体を示す斜視図である。
【図３】図１の簡易トイレにおいて、便座構成体を示す平面図である。
【図４】図１の簡易トイレにおいて、便座構成体の係合片および開口片を折り曲げた状態を示す斜視図である。
【図５】図１の簡易トイレにおいて、収容袋を示す概略構成図である。
【図６】図１の簡易トイレにおいて、便座構成体を箱体に取り付けた状態を示す斜視図である。
【符号の説明】
【００３５】
１  簡易トイレ
２  便座構成体
３  収容袋
４  箱体
４ｂ  開口部
５  板状部材
５ｂ  上面
７  係合片
９  開口部
９ａ  周縁部
１１  蓋体部
１３  端部
１５  切れ目
１７  係合凸部（周縁部）
２３  開口片
２３ａ  一端部
２７  側板部
２９  端板部
４１ｂ  開口部（上方開口部）
４２  凝固シート
４４  凝固剤
５０  トイレ構成体
【図１】
2005046339.tif 000003
【図２】
2005046339.tif 000004
【図３】
2005046339.tif 000005
【図４】
2005046339.tif 000006
【図５】
2005046339.tif 000007
【図６】
2005046339.tif 000008